(57)【要約】【課題】大型化した線香容器において、皿部材に嵌合した蓋部材を皿部材より簡単に取り外すことができ、あるいは蓋部材を皿部材に簡単に取り付けることができ、この取り外し及び取り付け作業を極めて容易な作業にする。【解決手段】上側に線香下面用保持体１７を備えた皿部材１と、この皿部材１に着脱自在に嵌合し上面２０に多数の排気穴２２を設けかつ下側に線香上面用保持体２３を備えた蓋部材２と、から構成し、この皿部材１における線香下面用保持体１７と蓋部材２における線香上面用保持体２３とで線香を挟み込むように保持して内部に線香を収納する線香容器において、蓋部材２の上面２０を全体が膨らんだ形状にすると共に、この蓋部材２の上面２０に一対の窪み状の把持部３０を設ける。【選択図】図６
2008173062.tif 000002
【特許請求の範囲】
【請求項１】
上側に線香下面用保持体１７を備えた皿部材１と、この皿部材１に着脱自在に嵌合し上面２０に多数の排気穴２２を設けかつ下側に線香上面用保持体２３を備えた蓋部材２と、から構成し、この皿部材１における線香下面用保持体１７と蓋部材２における線香上面用保持体２３とで線香を挟み込むように保持して内部に線香を収納する線香容器において、
前記蓋部材２の上面２０を全体が膨らんだ形状にすると共に、この蓋部材２の上面２０に一対の窪み状の把持部３０を設けたことを特徴とする線香容器。
【請求項２】
前記把持部３０にあってはその縦面３２を横向きの湾曲状に形成したことを特徴とする請求項１記載の線香容器。
【請求項３】
前記把持部３０における縦面３２に連続するようになる縦面３５を有する一対の上方突出部３４を蓋部材２の上面２０に設けたことを特徴とする請求項１又は請求項２記載の線香容器。
【発明の詳細な説明】
【技術分野】
【０００１】
本発明は、蚊取り線香等の線香等を内部に収納する線香容器に関する。
【背景技術】
【０００２】
従来、線香、例えば蚊取り線香を内部に収納する線香容器としては、皿部材とこの皿部材に着脱自在に嵌合する蓋部材とから構成している。なお、この皿部材と蓋部材の嵌合は、皿部材側に短くて小さな短ねじ山部を複数に設けると共に、蓋部材側に皿部材側の短ねじ山部に嵌るようになる突起部を複数設けて、ここにおいて回しながら嵌め込むようにしている。そして、皿部材は、円形平板状の底面と環状の周壁面とからなり、上側に網状の不燃性ネットである線香下面用保持体を備えている。また、蓋部材は、円形平板状の上面と環状の周壁面とからなり、その上面に多数の排気穴を設け、さらに下側に網状の不燃性ネットである線香上面用保持体を備えている。そして、このようになる線香容器では、皿部材における網状の不燃性ネットである線香下面用保持体と蓋部材における網状の不燃性ネットである線香上面用保持体とで蚊取り線香を挟み込むように保持して内部に蚊取り線香を収納するようにしている。
【０００３】
また、この線香容器において、皿部材に嵌合した蓋部材を皿部材より簡単に取り外すようにするために、あるいは蓋部材を皿部材に簡単に取り付けるようにするために、蓋部材の周壁面に指が引っ掛かりやすくなる凹凸状のローレッドを形成している（例えば、特許文献１参照）。
【０００４】
【特許文献１】実開昭５５−１１８９７７号の全文明細書
【発明の開示】
【発明が解決しようとする課題】
【０００５】
近年、蚊取り線香が大型化している。従来の蚊取り線香が、就寝から明け方までをカバーする燃焼時間が約７時間で、その直径が約１１ｃｍであったものから、夕方から明け方までをカバーできる燃焼時間が約１１時間で、その直径が約１４ｃｍとした大型の蚊取り線香が主流になりつつある。
【０００６】
このように蚊取り線香の大型化によって、蚊取り線香を内部に収納する線香容器についても大型のものに変わっていった。いままでの燃焼時間約７時間で直径約１１ｃｍの蚊取り線香であれば、その線香容器の大きさは直径約１３〜１５ｃｍであったが、これを燃焼時間約１１時間で直径約１４ｃｍの大型化した蚊取り線香では、その線香容器の大きさは直径約１６〜１８ｃｍとなり、線香容器が大型化されていた。
【０００７】
このため、大型化された線香容器にあっては、皿部材に嵌合した蓋部材を皿部材より取り外す、あるいは蓋部材を皿部材に取り付ける際、皿部材、蓋部材共に大きなものとなり、特に蓋部材が大きくなると、手で蓋部材をつかむことが難しくなり、これは、成人の手のひらの大きさ、具体的には手の付け根から指の先までの長さがおよそ１６〜１８ｃｍであることから、これと同程度の大きさとなる蓋部材をつかむことは非常に困難であった。これにより、蓋部材を皿部材より取り外す、あるいは蓋部材を皿部材に取り付けることが難しくなり、その作業性が非常に悪いといった問題があった。
【０００８】
本発明は、これらの問題を鑑み、大型化した線香容器において、皿部材に嵌合した蓋部材を皿部材より簡単に取り外すことができ、あるいは蓋部材を皿部材に簡単に取り付けることができ、この取り外し及び取り付け作業を極めて容易な作業にすることを、その課題とする。
【課題を解決するための手段】
【０００９】
第一の発明は、上側に線香下面用保持体を備えた皿部材と、この皿部材に着脱自在に嵌合し上面に多数の排気穴を設けかつ下側に線香上面用保持体を備えた蓋部材と、から構成し、この皿部材における線香下面用保持体と蓋部材における線香上面用保持体とで線香を挟み込むように保持して内部に線香を収納する線香容器において、蓋部材の上面を全体が膨らんだ形状にすると共に、この蓋部材の上面に一対の窪み状の把持部を設けた線香容器である。
【００１０】
第二の発明は、第一の発明において、把持部にあってはその縦面を横向きの湾曲状に形成した線香容器である。
【００１１】
第三の発明は、第一の発明又は第二の発明において、把持部における縦面に連続するようになる縦面を有する一対の上方突出部を蓋部材の上面に設けた線香容器である。
【発明の効果】
【００１２】
本発明によれば、蓋部材の上面を全体が膨らんだ形状にすると共に、この蓋部材の上面に一対の窪み状の把持部を設けたことで、手の小さな人、大きな人、女性・男性、どのような手の大きさの人でも良好に把持部をつかむことができる。これにより、大型化した線香容器であっても、皿部材に嵌合した蓋部材を皿部材より簡単に取り外すことができ、あるいは蓋部材を皿部材に簡単に取り付けることができ、この取り外し及び取り付け作業を極めて容易な作業にすることで、その作業性の向上及び取扱い性の向上を図ることができる。
【発明を実施するための最良の形態】
【００１３】
本発明による線香容器の一実施形態について、図１乃至図９に基づいて説明する。線香容器としては、特に図１、図４、図６に示すように、皿部材１と、この皿部材１に着脱自在に嵌合する蓋部材２と、から構成する。
【００１４】
皿部材１は、特に図１、図３、図４、図７に示すように、円形平板状の底面１０と、下略半分が縮径部１１で上略半分が直立部１２でこの縮径部１１と直立部１２とをリング形の平板部１３で連結した環状の周壁面１４と、からなっており、この底面１０と周壁面１４とは、金属等の不燃性材料にて一体となるように成形している。そして、この皿部材１の周壁面１４の直立部１２の内周には短くて小さな短ねじ山部１５を四ヶ所に設けている。また、皿部材１の底面１０の下側には略半球体状の脚部１６を例えば三個設けている。さらに、この皿部材１には、その略中間部である平板部１３の上側に網状の不燃性ネットである線香下面用保持体１７を備えている。なお、この線香下面用保持体１７については、皿部材１に一体的に固着するようにしていたが、線香下面用保持体１７を皿部材１に着脱自在に嵌め込むようにしても良い。
【００１５】
蓋部材２は、特に図１、図２、図４、図５、図８、図９に示すように、全体が上方に膨らんだ形状である略半球体状の上面２０からなり、この上面２０は、金属等の不燃性材料にて成形している。そして、この上面２０の縁には皿部材１の周壁面１４内周に設けた短ねじ山部１５に嵌るようになる突起部２１を四ヶ所設けて、ここにおいて回しながら嵌め込むことで、皿部材１に嵌合するようにしている。また、この上面２０には、多数の多数の排気穴２２を設けており、排気穴２２はその大多数が斜め長円形の穴で、これらを規則正しく配置している。さらに、この蓋部材２には、その下側に網状の不燃性ネットである線香上面用保持体２３を備えている。なお、この線香上面用保持体２３については、蓋部材２に一体的に固着するようにしていたが、線香上面用保持体２３を蓋部材２に着脱自在に嵌め込むようにしても良い。
【００１６】
また、上面２０に設ける排気穴２２にあっては、前述の形状や大きさ及び配置に限定されるものではなく、他の形状、例えば、円形や三角形や四角形、多角形やひし形、星形等の他の形状でも良く、大きさもいろいろな大きさで良い。また、配置についても他の配置にしても良く、排気穴２２については多種多様なものが考えられる。
【００１７】
そして、この蓋部材２において、その上面２０に一対の窪み状の把持部３０を設ける。この把持部３０は、平面３１と縦面３２とからなり、この平面３１にも変形長円形状の排気穴３３を設けている。また、縦面３２は一対の把持部３０の真ん中の部分が一番近づくようになる横向きの湾曲状に形成している。この把持部３０の縦面３２における一番近づく真ん中の部分の寸法Ｌａは約８５ｍｍであり、また、一番離れる両端の部分の寸法Ｌｂは約１００ｍｍである。
【００１８】
なお、把持部３０における縦面３２にあっては、前述の例では横向きの湾曲状に形成したものであったが、これに限定されるものではなく、他の形状、例えば、折り曲げ部を有したく字形でも良く、または、単なる直線状のものでも良い。
【００１９】
そして、この蓋部材２において、その上面２０に一対の上方突出部３４を設ける。この上方突出部３４は、蓋部材２の上面２０に設けた把持部３０における縦面３２に連続するようになる縦面３５を有し、蓋部材２の上面２０及び把持部３０と一体となるように成形している。
【００２０】
なお、この上方突出部３４については、蓋部材２の上面２０に設けた把持部３０における縦面３２が所望以上の深さ寸法を有するものであれば、蓋部材２の上面２０に設けなくても良い。
【００２１】
ところで、前述した把持部３０における寸法Ｌａと寸法Ｌｂについては、前記寸法に限定されるものではない。しかしながら、寸法Ｌａは８０ｍｍから９０ｍｍ程度で、寸法Ｌｂは９０ｍｍから１１０ｍｍ程度であれば、女性でも男性でも、把持部３０のつかみ易さが良好なものにすることができる。
【００２２】
次に、この把持部３０のつかみ易さの実験例について述べると、８０ｍｍ、９０ｍｍ、１００ｍｍ、１１０ｍｍのそれぞれで、多数の成人の女性及び男性でそのつかみ易さを比べて、最もつかみ易い寸法を聞いてみた。すると、下記の表１及び表２に示すように、女性では、９０ｍｍ前後が最も良いことが、また、男性では、９０ｍｍから１００ｍｍが最も良いことが、それぞれわかる。
【００２３】
【表１】
2008173062.tif 000003
【００２４】
【表２】
2008173062.tif 000004
【００２５】
この実験例に基づいて、把持部３０における寸法Ｌａと寸法Ｌｂについて考えると、前述したように、寸法Ｌａについては、８０ｍｍから９０ｍｍ程度であるのが良く、極めて良いのは約８５ｍｍであり、また、寸法Ｌｂについては、９０ｍｍから１１０ｍｍ程度であるのが良く、極めて良いのは約１００ｍｍである。
【００２６】
次に、図６を用いて、この線香容器の使用状態について述べる。まず、皿部材１に嵌合している蓋部材２の上面２０における一対の把持部３０の縦面３２及び上方突出部３４の縦面３５を親指と人差し指とでつかんで、蓋部材２を少し回して皿部材１より取り外す。このとき、手の小さな人、例えば女性であれば、把持部３０の真ん中の部分をつかみ、手の大きな人、例えば男性であれば、把持部３０のはしの部分をつかむことにより、女性・男性、どのような手の大きさの人でも良好に把持部３０をつかむことが可能となる。そして、皿部材１の線香下面用保持体１７の上に蚊取り線香を載せて、再び、蓋部材２における一対の把持部３０の縦面３２及び上方突出部３４の縦面３５をつかんで、蓋部材２を少し回して皿部材１に取り付ける。これにより、皿部材１における線香下面用保持体１７と蓋部材２における線香上面用保持体２３とで蚊取り線香を挟み込むように保持して当該線香容器の内部に蚊取り線香を収納する。そして、線香容器の内部に蚊取り線香を収納した後、線香容器を所望の場所に置いて使用したり、あるいは、図示していないフック等によって、腰等にぶら下げて使用したりすることができる。
【００２７】
以上のように、蓋部材２の上面２０を全体が上方に膨らんだ形状である略半球体状にすると共に、この蓋部材２の上面２０に一対の窪み状の把持部３０を設けたことにより、手の小さな人、大きな人、女性・男性、どのような手の大きさの人でも良好に把持部３０をつかむことができ、大型化した線香容器であっても、皿部材１に嵌合した蓋部材２を皿部材１より簡単に取り外すことができ、あるいは蓋部材２を皿部材１に簡単に取り付けることができる。
【００２８】
さらに、蓋部材２の上面２０を上方に膨らんだ形状である略半球体状にすることで、窪み状の把持部３０を所望の深さ寸法で蓋部材２の上面２０に設けることができ、把持部３０における指の引っ掛かりを良くすることができると共に、蓋部材２の部品点数を少なくして、これを安価にすることができる。なお、線香容器にあっては、価格を安くすることは非常に重要な要素である。さらに、蓋部材２の上面２０を上方に膨らんだ形状である略半球体状にすることで、線香容器という商品において、今までには全くなかったデザイン的にも優れたものにすることができ、デザイン性の高い商品にすることによって、消費者へのアピール度を高めることができる。
【００２９】
また、蓋部材２に設ける一対の把持部３０にあっては、その縦面３２における真ん中の部分が一番近づくようになる横向きの湾曲状に形成したことにより、前述した把持部３０における指のつかみは、手の大きさにかかわらずどのような手の大きさの人でも極めて良好に把持部３０をつかむことができ、線香容器における皿部材１と蓋部材２との取り外し及び取り付けを容易に行うことができる。
【００３０】
また、蓋部材２において、その上面２０に把持部３０における縦面３２に連続するようになる縦面３５を有する一対の上方突出部３４を設けることにより、ここでの指の引っ掛かりをさらに良好にして、蓋部材２における把持部３０及び上方突出部３４を確実につかむことができ、これにより、線香容器における皿部材１と蓋部材２との取り外し及び取り付けを極めて容易に行うことができる。
【図面の簡単な説明】
【００３１】
【図１】本発明による線香容器の正面図である。
【図２】本発明による線香容器の平面図である。
【図３】本発明による線香容器の底面図である。
【図４】図２におけるＡ−Ａ拡大断面図である。
【図５】本発明による線香容器の斜視図である。
【図６】本発明による線香容器の分解斜視図である。
【図７】本発明による線香容器における皿部材の上方からの分解斜視図である。
【図８】本発明による線香容器における蓋部材の上方からの斜視図である。
【図９】本発明による線香容器における蓋部材の下方からの斜視図である。
【符号の説明】
【００３２】
１…皿部材、２…蓋部材、１０…底面、１１…縮径部、１２…直立部、１３…平板部、１４…周壁面、１５…短ねじ山部、１６…脚部、１７…線香下面用保持体、２０…上面、２１…突起部、２２…排気穴、２３…線香上面用保持体、３０…把持部、３１…平面、３２…縦面、３３…排気穴、３４…上方突出部、３５…縦面
【図１】
2008173062.tif 000005
【図２】
2008173062.tif 000006
【図３】
2008173062.tif 000007
【図４】
2008173062.tif 000008
【図５】
2008173062.tif 000009
【図６】
2008173062.tif 000010
【図７】
2008173062.tif 000011
【図８】
2008173062.tif 000012
【図９】
2008173062.tif 000013